(57)【特許請求の範囲】
【請求項１】
表示部にタッチパネル機能が設けられ、前記タッチパネルから出力される測定波形に対するタッチ情報（ｔｘ，ｔｙ）に測定波形情報（−ｘａ，−ｙａ，＋ｘａ，＋ｙａ）を加算してこれらが加算された（ｔｘ−ｘａ，ｔｙ＋ｙａ），（ｔｘ＋ｘａ，ｔｙ−ｙａ）の範囲で前記測定波形に対するタッチの有無を判定するように構成された波形表示装置において、
前記タッチパネルの全面は互いに重ならないように複数の領域に分割され、
これら各領域および前記表示部に表示される波形にはタッチの有無を表す情報を格納するためのレジスタが割り当てられていることを特徴とする波形表示装置。
【請求項２】
前記タッチパネルから直接操作することにより、前記表示部に表示される波形に対するトリガ条件を設定することを特徴とする請求項１記載の波形表示装置。
【発明の詳細な説明】
【技術分野】
【０００１】
本発明は、波形表示装置に関し、詳しくは、表示部にタッチパネル機能を設けた波形表示装置の改善に関するものである。
【０００２】
波形表示装置の一種に、図８に示すような、表示部にタッチパネル機能を設けたものがある。図８において、Ａ／Ｄ変換器１はアナログ測定波形をデジタル信号に変換し、データ処理回路２に出力する。
【０００３】
データ処理回路２は、デジタル信号に変換されたアナログ測定波形の測定データをアクイジションメモリ３に格納するとともに、これら測定データを時間軸方向にプロットすることにより波形データを生成する。
【０００４】
生成された波形データは表示処理回路４に転送され、別途生成されるメニュー画面と合成されて、表示画面が生成される。表示画面は表示メモリ５に格納されるとともに、タッチパネル機能が設けられている表示部６に転送されて表示される。
【０００５】
なお、Ａ／Ｄ変換器１およびデータ処理回路２のアナログ回路部分は、アナログ部制御回路７により制御される。
【０００６】
そして、データ処理回路２と表示処理回路４およびアナログ部制御回路７は、制御バスＣＢを介して接続されるＣＰＵ８により制御される。
【０００７】
一方、ＣＰＵ８には、タッチパネル制御部９とキーボード制御部１０およびＵＳＢ、イーサネット（登録商標）、ＧＰＩＢ、ＰＣカードなどの各種の入出力インタフェース１１ａ〜１１ｄが設けられている。
【０００８】
表示部６の表示画面に表示される測定波形の時間軸、電圧軸、表示位置、演算設定のオン/オフなどに関しては、タッチパネル制御部９やキーボード制御部１０が、図示しないタッチパネルや操作パネルに設けられているキーボードの操作に基づくユーザーの要求を受け取ってそれらの要求に対応する処理を実行する。
【０００９】
特許文献１には、表示画面にタッチパネルを設け、タッチパネル上でペンを用いて表示波形に関連する情報を直接入力するように構成された波形表示装置が記載されている。
【先行技術文献】
【特許文献】
【００１０】
【特許文献１】特開２００４−１７０２９２号公報
【発明の概要】
【発明が解決しようとする課題】
【００１１】
しかし、表示画面にタッチパネルを設けた従来の波形表示装置は、いずれもパネルキーボード上に設けられている選択キーをタッチパネル上での選択に移管しただけのものであって、タッチパネルの機能を有効に活用した構成にはなっていない。
【００１２】
たとえば、波形表示のオン/オフ、時間軸、電圧軸の変更などに関しては、操作パネルに設けられているキーボードでのみ変更でき、表示画面に設けられているタッチパネルから変更することはできない。
【００１３】
また、演算や解析処理の追加などに関しても、パネルキーボードや表示画面上に表示されるダイアログ形式のパネルから選択する必要がある。
【００１４】
さらに、メイン波形、ズーム波形、ＸＹ波形などの表示位置変更や波形表示のオン/オフに関しても、パネルキーボードのみが操作可能で、画面上のタッチパネルから直接操作することは意図されていない。
【００１５】
本発明は、これらの課題を解決するものであり、その目的は、表示部に表示される波形をタッチパネルから直接操作でき、タッチパネルによる表示波形に対する操作性が大幅に改善された波形表示装置を提供することにある。
【課題を解決するための手段】
【００１６】
このような課題を達成するために、本発明のうち請求項１記載の発明は、
表示部にタッチパネル機能が設けられ、前記タッチパネルから出力される測定波形に対するタッチ情報（ｔｘ，ｔｙ）に測定波形情報（−ｘａ，−ｙａ，＋ｘａ，＋ｙａ）を加算してこれらが加算された（ｔｘ−ｘａ，ｔｙ＋ｙａ），（ｔｘ＋ｘａ，ｔｙ−ｙａ）の範囲で前記測定波形に対するタッチの有無を判定するように構成された波形表示装置において、
前記タッチパネルの全面は互いに重ならないように複数の領域に分割され、
これら各領域および前記表示部に表示される波形にはタッチの有無を表す情報を格納するためのレジスタが割り当てられていることを特徴とする。
【００１７】
請求項２記載の発明は、請求項１記載の波形表示装置において、
前記タッチパネルから直接操作することにより、前記表示部に表示される波形に対するトリガ条件を設定することを特徴とする。
【発明の効果】
【００２０】
本発明によれば、表示部に表示される波形をタッチパネルから直接操作でき、タッチパネルによる表示波形に対する操作性が大幅に改善された波形表示装置が得られる。
【図面の簡単な説明】
【００２１】
【図１】本発明の一実施例を示すブロック図である。
【図２】図１の具体例を示す説明図である。
【図３】本発明の動作説明図である。
【図４】本発明の他の動作説明図である。
【図５】本発明の他の動作説明図である。
【図６】本発明の他の動作説明図である。
【図７】本発明の他の動作説明図である。
【図８】従来の波形表示装置の一例を示すブロック図である。
【発明を実施するための最良の形態】
【００２２】
以下、本発明について、図面を用いて詳細に説明する。図１は本発明の一実施例を示すブロック図であり、図８と共通する部分には同一の符号を付けている。図１において、表示部６に設けられているタッチパネルは、互いの領域が重ならないように、複数の矩形領域に分割されている。
【００２３】
タッチパネル制御部９は、図８のＣＰＵ８の代わりに、表示処理回路４に接続されている。表示メモリ１２ａとして用いられるメモリ領域の一部には、比較領域１２ｂが設けられている。
【００２４】
図２は、図１で用いられる表示処理回路４の具体例を示すブロック図である。領域レジスタ４ａにはタッチパネルの各領域におけるタッチの有無を表すｉ/ｏ情報が格納され、これら領域レジスタ４ａに格納されているｉ/ｏ情報は比較部４ｅに入力される。
【００２５】
データ処理回路２で生成された波形データ４ｂはそれぞれの測定チャネルのトレースデータとして比較部４ｅに入力されるとともに、それらのｉ/ｏ情報は該当する領域レジスタ４ａのいずれかに格納される。
【００２６】
表示画面に関連したメニューデータ４ｃも比較部４ｅに入力され、それらのｉ/ｏ情報は該当する領域レジスタ４ａのいずれかに格納される。
【００２７】
タッチパネルのタッチ入力４ｄは、画面更新レート（Ｖｓｙｎｃ＝１６ｍｓｅｃ）単位でタッチパネル制御部９からのステータス情報として取得され、比較部４ｅおよびリードモディファイライト部４ｉの一方の入力端子に入力される。
【００２８】
リードモディファイライト部４ｉの他方の入力端子には前回保持されたキャラクタデータ４ｊが読み込まれ、タッチパネルからのステータス情報を加えたキャラクタデータ４ｋが出力端子から出力されて書き戻される。これにより、ユーザーが入力している文字記号情報を内部メモリに保持できる。
【００２９】
比較部４ｅには前回レジスタ４ｆから領域毎の前回比較結果が入力されるとともにステータスレジスタ４ｇから領域毎の前回のステータス情報も入力されていて、これら前回と今回の比較結果が異なっていると、ＣＰＵ８に割込信号４ｈを出力する。
【００３０】
ＣＰＵ８は、割込信号４ｈを受け取ると、制御バスＣＢ経由でデータ処理回路２の領域レジスタ４を参照し、タッチパネルのどの部分（領域または波形）にタッチされているかを確認する。この確認が完了すると、ＣＰＵ８への割り込みを解除する。
【００３１】
また、文字記号情報のクリアに関しては、ＣＰＵ８からのクリア指示またはあらかじめ内部に設定されている所定時間経過後にクリアすることとする。
【００３２】
図３は本発明の動作説明図であり、（Ａ）はタッチパネルの分割例を示し、（Ｂ）は領域１の座標例を示し、（Ｃ）は表示波形の操作例を示している。
【００３３】
（Ａ）に示すように、タッチパネルは、互いに重ならないように、測定波形Ｗ１，Ｗ２を表示する比較的大きな矩形の第１の領域１と、領域１の下部を水平方向に等間隔に７分割する比較的小さな矩形の第２の領域２から第８の領域８とに分割されている。これは、タッチパネル全面に、隣接する各キーが互いに重ならないようにしてキーマトリックスをマッピングしたイメージになる。
【００３４】
これら各領域１〜領域８に対応する領域レジスタ４ａには、たとえば初期値として以下のデータが設定されている。
領域１（ｘｉ１＿１，ｙｉ１＿１），（ｘｉ１＿２，ｙｉ１＿２）
領域２（ｘｉ２＿１，ｙｉ２＿１），（ｘｉ２＿２，ｙｉ２＿２）
領域３（ｘｉ３＿１，ｙｉ３＿１），（ｘｉ３＿２，ｙｉ３＿２）
領域４（ｘｉ４＿１，ｙｉ４＿１），（ｘｉ４＿２，ｙｉ４＿２）
領域５（ｘｉ５＿１，ｙｉ５＿１），（ｘｉ５＿２，ｙｉ５＿２）
領域６（ｘｉ６＿１，ｙｉ６＿１），（ｘｉ６＿２，ｙｉ６＿２）
領域７（ｘｉ７＿１，ｙｉ７＿１），（ｘｉ７＿２，ｙｉ７＿２）
領域８（ｘｉ８＿１，ｙｉ８＿１），（ｘｉ８＿２，ｙｉ８＿２）
【００３５】
これら各領域１〜領域８に対応する領域レジスタ４ａは、タッチパネルの各領域判定用の矩形領域を、
（ｘｉ＊＿１，ｙｉ＊＿１），（ｘｉ＊＿２，ｙｉ＊＿２）
として指定する。領域１の場合は、（Ｂ）に示すように、
（ｘｉ１＿１，ｙｉ１＿１），（ｘｉ１＿２，ｙｉ１＿２）
として指定される。
【００３６】
具体的には、指定された各領域について、領域レジスタ４ａにより指定された領域判定用の矩形領域とタッチパネル制御部９から入力されるタッチ情報に基づき、たとえばタッチペンＴＰによるタッチの有無を判定する。ここで、前述のように各領域は互いに重ならないものとする。
【００３７】
一方、領域１に表示される各測定波形に対するタッチの有無の判定は、表示されている測定波形を所望の位置に移動操作するために行われるが、ユーザーが必ず所望の測定波形にタッチしないとその測定波形を移動させられないことになると、ユーザーはかなりのストレスを感じてしまう。
【００３８】
そこで、タッチパネルから出力されるタッチ情報に一定の幅を与えて測定波形にタッチできる範囲を拡大する処理を施し、その処理結果に基づいてタッチの有無を判定する。
【００３９】
具体的には、レジスタに格納されていてタッチパネルから出力される測定波形に対するタッチ情報（ｔｘ，ｔｙ）に、−ｘａ，−ｙａ，＋ｘａ，＋ｙａを加算し、これらが加算された（ｔｘ−ｘａ，ｔｙ＋ｙａ），（ｔｘ＋ｘａ，ｔｙ−ｙａ）の範囲で測定波形に対するタッチの有無を判定する。
【００４０】
このように構成することにより、ユーザーが要求している動作の実行状況を、表示処理回路４自身が作成する波形データ４ｂとメニューデータ４ｃとで構成される表示画面と、タッチパネル制御部９からのタッチ情報を比較するとともに、ＣＰＵ８への割込信号と内部レジスタの該当する領域を参照することで確認できる。
【００４１】
そして、従来の構成であればＣＰＵ８が各領域の情報を収集して比較する処理を、表示処理回路４が肩代わりすることにより、ユーザーインタフェースの応答性を高めることができる。
【００４２】
また、表示画面に表示される文字記号情報については、タッチパネルからのステータス情報を加えた内容で内部メモリに保持しているので、タッチパネルに対するタッチ操作に基づいて、以下に説明するような各種の操作制御が行える。
【００４３】
図４は本発明の他の動作説明図であり、（Ａ）は表示画面の上下領域にズーム波形１と２が表示されている例を示し、（Ｂ）は表示画面の上部領域にメイン画面が表示されていて下部領域の左側領域にＸＹ１波形が表示され右側領域にＸＹ２波形が表示されている例を示している。
【００４４】
（Ａ）において、ズーム波形１の領域にタッチした状態でタッチペンＴＰをズーム波形２の領域に移動させることにより、ズーム波形１とズーム波形２を上下に入れ替えることができる。また、（Ｂ）において、ＸＹ１波形の領域にタッチした状態でタッチペンＴＰをＸＹ２波形の領域に移動させることにより、ＸＹ１波形とＸＹ２波形を左右に入れ替えることができる。
【００４５】
図５も本発明の他の動作説明図であり、（Ａ）は表示波形Ｗを上下方向に移動させる例を示し、（Ｂ）は表示波形Ｗを左右方向に移動させる例を示している。
【００４６】
（Ａ）において、表示波形Ｗにタッチした状態でタッチペンＴＰを上または下に移動させることにより、表示波形Ｗを上または下の任意の位置に移動させることができる。そして、（Ｂ）において、表示波形Ｗにタッチした状態でタッチペンＴＰを左または右に移動させることにより、表示波形Ｗを左または右の任意の位置に移動させることができる。
【００４７】
図６も本発明の他の動作説明図であり、（Ａ）は表示波形Ｗの表示をオン/オフさせる例を示し、（Ｂ）はパラメータの表示をオン/オフさせる例を示している。
【００４８】
（Ａ）において、表示波形Ｗの一部にタッチペンＴＰをタッチさせることにより表示波形Ｗの表示をオフさせることができ、たとえば図示しない取消ボタンにタッチすることにより表示オフを取り消して再び表示波形Ｗを表示させることができる。
【００４９】
一方、（Ｂ）において、表示されているパラメータのうち表示をオフにしたいパラメータにタッチペンＴＰをタッチさせることにより、そのパラメータの表示をオフにすることができ、表示がオフになったパラメータの表示位置に再度タッチペンＴＰをタッチさせることにより、再びパラメータを表示させることができる。
【００５０】
ところで、たとえばオシロスコープでは、波形を取り込むための条件として、トリガが重要である。特に、異常波形の取り込みにあたっては、複雑なトリガ条件を要求される場合がある。従来は、このような複雑なトリガ条件の設定を、専用または汎用ノブに加えてパネルキーボードやダイアログ設定を用いたインターフェースなどで行っていたが、除外したい波形や取り込みたい波形などを適切に設定入力するためには煩雑な操作が求められていた。
【００５１】
本発明は、このような問題に対しても有効に対応できる。すなわち、ユーザーは、たとえば図７に示すように、表示画面に表示される波形を確認しながら、タッチパネルを利用して必要なトリガ条件を直感的に入力設定できる。
【００５２】
（Ａ）において、破線で示す波形Ｗは過去に測定された波形例である。これらの波形例に基づき取り込みたい異常波形のみが通過する領域を選定し、たとえばタッチペンＴＰでトリガ条件となる斜線で示すようなトリガ領域ＴＺを設定する。これにより、（Ｂ）に示すように、設定されたトリガ領域ＴＺを通過した波形Ｗのみを確実に取り込み表示することができる。
【００５３】
なお、設定されたトリガ領域ＴＺを通過した波形Ｗは除き、それ以外の波形を確実に取り込み表示する逆論理にすることもできる。
【００５４】
また、図１に示す比較メモリ１２ｂはタッチパネルからの情報を保持できることから、この比較メモリ１２ｂを活用することにより、ユーザーが表示画面に新たな情報を付加して表示することができる。
【００５５】
具体的には、図２において、リードモディファイライト部４ｉに、比較メモリ１２ｂよりキャラクタデータ４ｊを読み込むとともに新たにタッチパネルから入力される付加したい情報も読み込み、更新された情報をキャラクタデータ４ｋとして再度比較メモリ１２ｂに書き戻せばよい。これにより、表示画面上で、タッチペンにより、たとえば表示波形に対するコメントなどを書き込んで表示させることができる。
【００５６】
以上説明したように、本発明によれば、表示部に表示される波形をタッチパネルから直接操作でき、タッチパネルによる表示波形に対する操作性が大幅に改善された波形表示装置が実現できる。
【符号の説明】
【００５７】
１  Ａ／Ｄ変換器
２  データ処理回路
３  アクイジションメモリ
４  表示処理回路
６  表示部
７  アナログ部制御回路
８  ＣＰＵ
９  タッチパネル制御部
１１ａ〜１１ｄ  入出力インタフェース
１２ａ  表示メモリ
１２ｂ  比較領域
【図１】
0005593648.tif 000002
【図２】
0005593648.tif 000003
【図３】
0005593648.tif 000004
【図４】
0005593648.tif 000005
【図５】
0005593648.tif 000006
【図６】
0005593648.tif 000007
【図７】
0005593648.tif 000008
【図８】
0005593648.tif 000009